(57)【要約】【課題】確実に出荷モードへの遷移を行うことのできる、情報記憶装置を含んだ情報処理装置の出荷モードへの遷移方法および当該方法により出荷モードに遷移させる情報処理装置の提供【解決手段】ナビゲーションユニット１内にＲＦＩＤタグ１７を設けるとともに、出荷ベンチ付近にＲＦＩＤタグライタ３を設置し、制御装置１４はＲＦＩＤタグ１７が受信したＲＦＩＤタグライタ３からの出荷工程データに基づいて、ナビゲーションユニット１が出荷工程にあることを認識する。ナビゲーションユニット１が出荷工程にあることを認識している間であって出荷モードへの遷移完了前に、ナビゲーションユニット１が外部電源装置２と切り離されたことを検出すると、制御装置１４は内部電源部１５を用いて、ハードディスク装置１１、ＤＶＤデッキ１２およびＤＶＤ／ＣＤチェンジャー１３を出荷モードへ遷移させる。【選択図】図１
2008097265.tif 000002
【特許請求の範囲】
【請求項１】
情報処理装置は、情報記憶装置、該情報記憶装置を作動させる制御装置、該制御装置と接続され外部からの信号を受信可能な無線ＩＣチップ、および前記制御装置と接続された内部電源を備え、
前記情報処理装置の出荷工程において、前記制御装置は外部電源と接続されて、前記情報記憶装置を出荷モードへ遷移させ、
前記制御装置は、前記情報処理装置の付近に設置された発信手段から前記無線ＩＣチップに入力された信号に基づいて、前記情報処理装置が出荷工程にあることを認識するとともに、前記情報処理装置が出荷工程にあることを認識している間であって出荷モードへの遷移完了前に、前記外部電源が切り離されたことを検出した時は、前記内部電源を用いて、前記情報記憶装置を出荷モードへと遷移させることを特徴とする情報処理装置の出荷モードへの遷移方法。
【請求項２】
情報記憶装置、該情報記憶装置を作動させる制御装置、該制御装置と接続され外部からの信号を受信可能な無線ＩＣチップ、および前記制御装置と接続された内部電源を備え、
出荷工程において、前記制御装置が外部電源と接続されて、前記情報記憶装置を出荷モードへ遷移させ、
前記制御装置は、付近に設置された発信手段から前記無線ＩＣチップに入力された信号に基づいて、出荷工程にあることを認識するとともに、出荷工程にあることを認識している間であって出荷モードへの遷移完了前に、前記外部電源が切り離されたことを検出した時は、前記内部電源を用いて、前記情報記憶装置を出荷モードへと遷移させることを特徴とする情報処理装置。
【請求項３】
前記無線ＩＣチップは、合成樹脂材料によって形成された部材中にインサートされていることを特徴とする請求項２記載の情報処理装置。
【請求項４】
周囲を囲む箱体を備え、該箱体の背面には内部と接続された電線接続用コネクタが備えられ、前記無線ＩＣチップは該電線接続用コネクタ中に設けられたことを特徴とする請求項３記載の情報処理装置。
【発明の詳細な説明】
【技術分野】
【０００１】
本発明は、情報記憶装置を含んだ情報処理装置の出荷モードへの遷移方法および当該方法により出荷モードに遷移させる情報処理装置に関する。
【背景技術】
【０００２】
従来より、ハードディスク装置、ＤＶＤプレーヤ、ＣＤプレーヤのような情報記憶装置においては、ディスクに対して書き込みあるいは読み取りをするためのヘッドを備え、このヘッドは揺動可能なキャリッジに保持されている（例えば、特許文献１参照）。キャリッジはディスク上を迅速に移動しなければならないため、ケース内を抵抗なく揺動できるように形成されている。こういったハードディスク装置を運搬する場合、前もってキャリッジを動かないように固定しておかないと、運搬中の振動により、キャリッジに対して急激な加速度が加わり、揺動範囲を超えて振れることにより、キャリッジの破損につながる。
【０００３】
これを防ぐため、上述した従来技術においては、運搬前に、ディスクおよびキャリッジが収容された本体ケースを、保護ケース内に収容することで、キャリッジの回転軸近傍に設けられた爪部材が、保護ケースに設けられた磁石からの吸引力によって回動させられて、キャリッジに形成された凹部と係合し、キャリッジの揺動を阻止するものであった。
【０００４】
一方、車載ナビゲーション装置に代表されるような、ハードディスク装置を内蔵した情報処理装置においても、その運搬に先立って、キャリッジを固定しなければならないが、ハードディスク装置自体が内部に収容されている関係上、上述したようにハードディスク装置を保護ケース内に収容する手段をとることはできない。そこで、これまで、情報処理装置を出荷のために運搬するような場合には、出荷前に、情報処理装置に外部電源をつなぎ、作業者の操作あるいはプログラムに基づいて、モータによりキャリッジを強制的に駆動して固定位置に置く、いわゆる出荷モードへの遷移を行っていた。
【特許文献１】特開２００１−２５６７６６号（第３−４頁、第１−３図）
【発明の開示】
【発明が解決しようとする課題】
【０００５】
しかしながら、情報処理装置を出荷モードに遷移させる場合、装置の出荷前検査の後に続けて行われる場合が多く、出荷作業者が検査の後に出荷モードに遷移させることを忘れて、装置から外部電源を切り離し、そのまま運搬へと送られることがあった。また、出荷検査中に装置に不良箇所が発見された時にも、その時点で検査を打ち切り、出荷モードへの遷移を忘れたまま、その手直しのために工場等に運搬される場合があった。いうまでもなく、出荷モードへ遷移させずに運搬すれば、キャリッジの破損等につながるため、破損箇所の修理、交換が必要であった。
【０００６】
本発明は、上記事情に鑑みてなされたものであり、その目的は、確実に出荷モードへの遷移を行うことのできる、情報記憶装置を含んだ情報処理装置の出荷モードへの遷移方法および当該方法により出荷モードに遷移させる情報処理装置を提供することにある。
【課題を解決するための手段】
【０００７】
本発明の課題を解決するために、請求項１の発明によれば、制御装置は、情報処理装置の付近に設置された発信手段から無線ＩＣチップに入力された情報に基づいて、情報処理装置が出荷工程にあることを認識するとともに、情報処理装置が出荷工程にあることを認識している間であって出荷モードへの遷移完了前に、外部電源が切り離されたことを検出した時は、内部電源を用いて、情報記憶装置を出荷モードへと遷移させることにより、作業者が出荷モードへの遷移を忘れた場合等にも、自動的に遷移を行うことができる。
【０００８】
請求項２の発明によれば、制御装置は、付近に設置された発信手段から前記無線ＩＣチップに入力された情報に基づいて、出荷工程にあることを認識するとともに、出荷工程にあることを認識している間であって出荷モードへの遷移完了前に、前記外部電源が切り離されたことを検出した時は、前記内部電源を用いて、前記情報記憶装置を出荷モードへと遷移させることにより、作業者が出荷モードへの遷移を忘れた場合等にも、自動的に遷移を行う情報処理装置にすることができる。
【０００９】
請求項３の発明によれば、無線ＩＣチップは、合成樹脂材料によって形成された部材中にインサートされていることにより、その絶縁性、受信性、防塵性、秘匿性に優れているとともに、装置内に容易に設置できる。
請求項４の発明によれば、無線ＩＣチップは箱体の背面に備えられた電線接続用コネクタ中に設けられたことにより、出荷工程における、情報処理装置および発信手段のレイアウト上、その受信性能が向上する。また、出荷作業者は情報処理装置の前面を使用して操作可能であるため、その作業性を向上できる。また、現状の情報処理装置を大幅に変更することなく、無線ＩＣチップを設けることができる。
【発明を実施するための最良の形態】
【００１０】
図１乃至図４に基づいて、本発明の一実施形態について説明する。ナビゲーションユニット１は本発明の情報処理装置に該当し、ディスプレイ装置４（図３示）およびオーディオ装置（図示せず）とともに、車両用ナビゲーション装置を形成する。図１に示すように、ナビゲーションユニット１はハードディスク装置１１、ＤＶＤデッキ１２、ＤＶＤ／ＣＤチェンジャー１３を備えており、これらは、制御装置１４と接続されており、制御装置１４により作動される。ハードディスク装置１１、ＤＶＤデッキ１２、ＤＶＤ／ＣＤチェンジャー１３の各々は、本発明の情報記憶装置に該当し、例えば、ハードディスク装置１１について説明すれば、回転するハードディスク上を、磁気ヘッドを有するアームが移動して、ハードディスクへの情報の読み書きを行うものであり（詳細には図示せず）、製品出荷の際には、運搬中の振動等によりアームがハードディスクあるいは周囲のハウジング等に接触しないように、固定させる必要がある。ＤＶＤデッキ１２およびＤＶＤ／ＣＤチェンジャー１３についても同様に、製品出荷の際にはレーザー送受信用のピック等を固定する必要がある。本願において、上述した製品出荷の際に、制御装置１４によりハードディスク装置１１等を作動させて、そのアーム等を固定させることを、出荷モードへの遷移とよぶ。
【００１１】
制御装置１４はマイクロプロセッサを含んで形成され、接続されたＤＶＤデッキ１２により地図データを読み出し、ハードディスク装置１１に記憶するとともに、ＧＰＳ受信機および距離センサ（図示せず）からの検出データに基づいて車両位置を演算し、ディスプレイ装置４に地図上の車両位置を表示させる。制御装置１４には非常用の内部電源部１５（本発明の内部電源に該当する）が接続されている。内部電源部１５は、充電電流制限用の抵抗１５１とバックアップコンデンサ１５２とが直列に接続されており、更に、電流制限用抵抗１５１をバイパスするように放電用ダイオード１５３を備えている。制御装置１４には内部電源部１５を介して監視用抵抗１６が接続され、更に監視用抵抗１６を介して外部電源装置２（本発明の外部電源に該当する）が接続可能とされている。制御装置１４は監視用抵抗１６による電圧降下（電位差）Ｖを検出可能になっている。尚、内部電源部１５および外部電源装置２の電力は、制御装置１４を介してハードディスク装置１１、ＤＶＤデッキ１２およびＤＶＤ／ＣＤチェンジャー１３に供給可能とされている。
【００１２】
制御装置１４にはＲＦＩＤタグ１７が接続されている。ＲＦＩＤタグ１７はＩＣタグとも呼ばれる無線ＩＣチップであり、受信用アンテナ１７１、受信部１７２および受信データ用メモリである記憶部１７３とを備え、受信用アンテナ１７１によって受信したデータを、受信部１７２が記憶部１７３に記憶させる。制御装置１４は、記憶部１７３内のデータを読み取り可能とされている。
【００１３】
ＲＦＩＤタグ１７はナビゲーションユニット１の任意の位置に設けることが可能であるが、本実施形態においては、ナビゲーションユニット１の周囲を囲むハウジングケース１８（本発明の箱体に該当する）の背面に抜き差しされる電線接続用コネクタ１９中に形成されている（図２示）。合成樹脂材料製の電線接続用コネクタ１９はナビゲーションユニット１の構成品であり、ハウジングケース１８内の基板（図示せず）と接続されるとともに、ディスプレイ装置４の背面とつながれる配線ケーブル６と接続されている。ＲＦＩＤタグ１７は、制御装置１４への配線パターンとともにインサート成型により電線接続用コネクタ１９中に設けられている。電線接続用コネクタ１９をハウジングケース１８内の基板に接続することにより、ＲＦＩＤタグ１７は配線パターンを介して制御装置１４と接続される。
【００１４】
一方、ナビゲーションユニット１の製造工場における出荷工程では、出荷ベンチ５（図３示）付近にＲＦＩＤタグライタ３（本発明の発信手段に該当する）が設けられている。ＲＦＩＤタグライタ３はＲＦＩＤタグ１７への送信用ＩＣタグであり、送信用アンテナ３１、書込部３２およびＣＰＵによって形成された制御部３３を備え、制御部３３は書込部３２に送信用アンテナ３１を介して、常時、出荷工程データの送信を行わせている。尚、ＲＦＩＤタグ１７およびＲＦＩＤタグライタ３は、例えば、特許公開公報である特開２００６−第２３９６３号に記載されたものと同様のものである。
【００１５】
次に、図３および図４に基づいて、本実施形態によるナビゲーションユニット１の出荷工程における作動方法について説明する。尚、本実施形態における出荷工程とは、ナビゲーションユニット１の製造工程終了後に設けられ、ナビゲーションユニット１の完成後の検査作業および、上述した出荷モードへの遷移作動を含んでいるが、これに限定されるものではなく、検査作業は必ずしも必要ではない。
【００１６】
ナビゲーションユニット１の製造工程が終了すると、ナビゲーションユニット１は出荷ベンチ５上に運搬されるとともに、電線接続用コネクタ１９および配線ケーブル６によりディスプレイ装置４と接続される。出荷作業者７によりナビゲーションユニット１に外部電源装置２が接続されると、制御装置１４は内部電源部１５および監視用抵抗１６を介して、外部電源装置２と接続される（図４のステップＳ４０１）。外部電源装置２が接続されることにより、電流制限用抵抗１５１を介してバックアップコンデンサ１５２に充電が行われ、バックアップコンデンサ１５２は外部電源装置２と同じ電圧に保持される。また、制御装置１４等が外部電源装置２の電力を消費することにより、監視用抵抗１６の両端には電位差が発生する。
【００１７】
出荷作業者７は、ディスプレイ装置４の前面に設けられた画面を監視しながらディスプレイ装置４の操作部を用いて、ナビゲーションユニット１の検査作業を進めていく（図３示）。検査作業が終了すると、出荷作業者７は制御装置１４を用いてハードディスク装置１１、ＤＶＤデッキ１２およびＤＶＤ／ＣＤチェンジャー１３を出荷モードへ遷移させる。尚、ハードディスク装置１１、ＤＶＤデッキ１２およびＤＶＤ／ＣＤチェンジャー１３の出荷モードへの遷移方法については、例えば、特許公開公報である特開平６−６０５７８号に記載された方法を使用することができる。
【００１８】
ナビゲーションユニット１は出荷ベンチ５上に運搬されることにより、ＲＦＩＤタグライタ３の付近に配される。図３に示すように、ＲＦＩＤタグライタ３は出荷ベンチ５を挟んで、出荷作業者７の反対側（ナビゲーションユニット１およびディスプレイ装置４の背面側）に位置する。ＲＦＩＤタグ１７の受信部１７２はＲＦＩＤタグライタ３からの出荷工程データ（信号）を受信し、記憶部１７３にデータを記録させる。制御装置１４は記憶部１７３に記録された出荷工程データから、ナビゲーションユニット１が出荷工程にあることを認識すると（ステップＳ４０２）、ハードディスク装置１１、ＤＶＤデッキ１２およびＤＶＤ／ＣＤチェンジャー１３の出荷モードへの遷移がすべて終了したか否かが判定される（ステップＳ４０３）。ハードディスク装置１１、ＤＶＤデッキ１２およびＤＶＤ／ＣＤチェンジャー１３の出荷モードへの遷移がすべて終了していれば、制御装置１４による制御は終了する。出荷モードへの遷移が終了したか否かは、例えば、ハードディスク装置１１のアーム駆動のためのモータに取り付けられたパルスエンコーダからの検出値を用いて行うことができる。
【００１９】
例えば、検査作業の途中段階のように、ナビゲーションユニット１が出荷工程にあることを制御装置１４が認識している間に、出荷モードへの遷移が終了していないにもかかわらず、作業者により外部電源装置２が取り外された（切り離された）場合、制御装置１４が監視用抵抗１６の両端の電位差Ｖが０となったことを検出して、外部電源装置２が取り外されたと判断し（ステップＳ４０４）、放電用ダイオード１５３を介して流れるバックアップコンデンサ１５２からの電流を用いて、ハードディスク装置１１、ＤＶＤデッキ１２およびＤＶＤ／ＣＤチェンジャー１３を出荷モードへ遷移させる（ステップＳ４０５）。その後、ハードディスク装置１１、ＤＶＤデッキ１２およびＤＶＤ／ＣＤチェンジャー１３の出荷モードへの遷移がすべて終了すると、制御装置１４による制御は終了して（ステップＳ４０６）、ナビゲーションユニット１から外部電源装置２が取り外され、ナビゲーションユニット１およびディスプレイ装置４は出荷される。
【００２０】
本実施形態によれば、制御装置１４は、ナビゲーションユニット１の付近に設置されたＲＦＩＤタグライタ３からＲＦＩＤタグ１７に入力された信号に基づいて、ナビゲーションユニット１が出荷工程にあることを認識するとともに、ナビゲーションユニット１が出荷工程にあることを認識している間であって出荷モードへの遷移完了前に、外部電源装置２が切り離されたことを検出した時は、内部電源部１５を用いて、ナビゲーションユニット１を出荷モードへと遷移させることにより、出荷作業者７が出荷モードへの遷移を忘れた場合等にも、自動的に遷移を行うことができる。
また、ＲＦＩＤタグ１７は、合成樹脂材料製の電線接続用コネクタ１９中にインサートされていることにより、その絶縁性、受信性、防塵性、秘匿性に優れているとともに、ナビゲーションユニット１内に容易に設置できる。
【００２１】
また、ＲＦＩＤタグ１７はナビゲーションユニット１の背面に備えられた電線接続用コネクタ１９中に設けられている。出荷工程においては、出荷作業者７の作業の邪魔にならないように、ＲＦＩＤタグライタ３は出荷ベンチ５を挟んで出荷作業者７の反対側に置かれ、出荷作業者７がナビゲーションユニット１およびディスプレイ装置４の前面（図３において下側）を操作しながら遷移作動を進行させるため、電線接続用コネクタ１９中に設けられたＲＦＩＤタグ１７はＲＦＩＤタグライタ３に近接することになり、その受信性能が向上する。また、出荷作業者７はナビゲーションユニット１の前面を使用して操作可能であるため、その作業性を向上できる。また、現状のナビゲーションユニット１を大幅に変更することなく、ＲＦＩＤタグ１７を設けることができる。
【００２２】
本発明は、上述した実施形態に限定されるものではなく、次のように変形または拡張することができる。
本発明はナビゲーションユニットのみではなく、マルチメディアシステムのような情報処理装置の出荷工程にも適用することができる。
【００２３】
出荷ベンチに設けられたＲＦＩＤタグライタの代わりに、トランスミッタ等の広義の発信機も適用可能である。
ナビゲーションユニットへのＲＦＩＤタグの設置箇所はコネクタ中に限られず、ハードディスク装置の冷却用ファンの軸部中にインサートされて設けられてもよいし、その他の部位にインサート以外の方法で取り付けられてもよい。
ＲＦＩＤタグライタは出荷ベンチの上方あるいは下方に配置してもよい。
【図面の簡単な説明】
【００２４】
【図１】本発明の一実施形態によるナビゲーションユニットの出荷モードへの遷移方法を実行するための全体図
【図２】ＲＦＩＤタグの電線接続用コネクタ中への設置方法を示した簡略図
【図３】出荷工程時の上方から見た場合の配置図
【図４】出荷モードへの遷移方法を実行するためのフローチャート
【符号の説明】
【００２５】
図面中、１はナビゲーションユニット（情報処理装置）、２は外部電源装置（外部電源）、３はＲＦＩＤタグライタ（発信手段）、１１はハードディスク装置（情報記憶装置）、１２はＤＶＤデッキ（情報記憶装置）、１３はＤＶＤ／ＣＤチェンジャー（情報記憶装置）、１４は制御装置、１５は内部電源部（内部電源）、１７はＲＦＩＤタグ（無線ＩＣチップ）、１９は電線接続用コネクタを示している。
【図１】
2008097265.tif 000003
【図２】
2008097265.tif 000004
【図３】
2008097265.tif 000005
【図４】
2008097265.tif 000006